(57)【特許請求の範囲】
【請求項１】
ピストンとシリンダとの間にコイルバネを弾装したポンプ室を備えたトリガ式噴霧器に用いるコイルバネであって、
コイルバネの先端カット面を巻線に接触させつつ巻線直径の０．５以上内方に偏寄させるとともに、コイルバネの先端に続く一定の角度範囲の巻線を内方に弧状に連続するよう偏寄させ、偏寄させた該巻線をコイルバネの中心線と直交または略直交する面上に配設したことを特徴とする噴霧器のバネ部材。
【発明の詳細な説明】
【０００１】
【産業上の利用分野】
本発明は、トリガ式噴霧器のバネ部材に関する。
【０００２】
【従来の技術】
先端に噴霧管を設けた射出筒、吐出弁筒、握持部を有する噴霧器本体と、ピストンとシリンダを設けたポンプ室と、ピストンを操作するトリガ部材と、容器取付部とを備えたトリガ式噴霧器において、ポンプ室のピストン部材をトリガを押圧操作することによって作動させ、ピストンとシリンダとの間に弾装したコイルバネによって復帰させるようにした噴霧器は従来より知られている（例えば、実開昭６３−２０９７０号公報、実開昭６４−１２６６８号公報、実公昭６２ー７７０号公報参照）。
【０００３】
【発明が解決しようとする課題】
従来のポンプ室に使用されるコイルバネは、図４（ａ）に示すようにコイルバネの終端を形成するコイルのバネ端巻線４２およびカット面４３はコイル巻線４１と同一の円周上にあって、図４（ｂ）に示すようにバネ端巻線は中心線に直交する面に対して傾斜していた。
【０００４】
ピストン部材をシリンダに装着しポンプ室を形成させるためには、まずコイルバネをピストン部材に装着し、次いでバネをシリンダのバネの支持孔に挿入するとともに、ピストン部材をシリンダに装着するようにしているが、コイルバネの端面が傾斜していると、バネをピストン部材に装着した場合にコイルバネの自由端はピストン部材の中心線に対して傾斜することが生じ、傾斜が大きくなるとコイルバネがシリンダの支持孔に挿入できず、また支持孔に傷をつけるという問題点があった。
【０００５】
上記問題点を解決するため、コイルバネの端面が中心線に直交するようバネ端巻線を研磨することも考えられたが、噴霧器のコイルバネはその直径が小さいものであるから、研磨加工が容易でなく作業コストが高くなるという問題点があった。
本発明は、前記の問題点を解決することを技術的課題とし、ピストン部材にコイルバネが正確に装着でき、かつ加工が容易にできるコイルバネを提供することを目的とする。
【０００６】
【課題を解決しようとする手段】
本発明は、上記の目的を達成するため、コイルバネの先端カット面を少なくとも１／２ｄ以上内方に偏寄させるよう形成し、バネ端巻線の一部をコイルバネの中心線に直交または略直交する面上に配設するように形成したものであり、コイルバネの構成として、ピストンとシリンダとの間にコイルバネを弾装したポンプ室を備えたトリガ式噴霧器に用いるコイルバネであって、コイルバネの先端カット面を内方に偏寄させ、コイルバネの先端から一定部分のバネ端巻線をコイルバネの中心線と直交または略直交する面上に配設したことを特徴とするバネ部材を採用する。
【０００７】
【作用】
バネ端巻線の一定長さが中心線に直交する面上に配設されているから、コイルバネをピストン部材のバネ支持孔に挿入したとき真直ぐに支持され、次いで、ピストン部材をシリンダ部材に装着したとき、コイルバネの自由端はシリンダの支持孔へ正確かつ容易に挿入される。
【０００８】
【実施例】
次に本発明の実施例について説明する。
本発明に係るトリガ式噴霧器は、図１に示されるよう噴霧管Ａと、射出筒Ｂ１，吐出室支持筒Ｂ２，握持部Ｂ３を有する噴霧器主体Ｂと、吐出室Ｃと、ポンプ室Ｄと、容器取付部Ｆ、トリガ部材Ｅとからなっている。
【０００９】
前記吐出室Ｃは、前記支持筒Ｂ２に装着された吐出筒体１によって形成され、下方の容器内液体に連通する吸上パイプ２と、吸込み室３と吐出弁室４とを備えている。
吸上げパイプ２と吸込み室３の間には弁座６が設けられ，吸込み室３の下方に配設したボール弁５が該弁座に係合している。
吐出弁室４には、弁室の上端と係合する弾性変形部８を具えた吐出弁体７が配設されており、該吐出弁体７は、吸込み室３と吐出弁室４との間に設けられた吐出弁座９に係合している。
前記吸込み室３には開口１０ａが設けられてポンプ室Ｄと連通し，前記吐出弁室４には開口１０ｂが設けられ射出筒Ｂ１に連通している。
前記射出筒Ｂ１には、吐出弁室４の前記開口１０ｂに連通する吐出路１１が設けられ、前記噴霧管Ａに設けられた流路１２ａ，流路１２ｂに連通して噴霧ノズル孔１３より液体を噴出するようにしている。
【００１０】
ポンプ室Ｄは、シリンダ２０とピストン３０によって構成されている。
シリンダ２０は、外周筒２１と底壁２２、内周筒２３とを具え、それらの部材とピストンの端面３６との間でシリンダ室２４が構成されている。
前記内周筒２３の内部には、コイルバネを弾装するための支持孔２５が設けられ、その内面にはバネを把持する数個の凸条２５ａが形成されている。
シリンダの底壁２２には、吸込み室３に連通する開口２６が設けられており、外周筒２１の下方には、ピストン端面がシリンダ底壁２２に押圧されたときに外気と連通する吸気孔２７が設けられ、通路を介して前記吐出筒体１の下方に設けられた開孔２８に連通している。
【００１１】
ピストン３０は、筒部３１と弾性部材によって形成されたピストン部３２とを具え、筒部３１には、そのヘッド３３にトリガ部材に係合する凹部３４が設けられており、筒内部にはバネを支持する支持孔３５が設けられ、段部３５ａと数個の凸条３５ｂが形成されている。
ピストン部３２は、弾性部材によって形成され、シリンダの外周筒２１と係合する外摺動面３２ａと内周筒２３と係合する内摺動面３２ｂ、シリンダ室に対向する端面３６とから構成され、ピストンをシリンダに装着したときに気密性を保つために、外摺動面３２ａの形状を鼓状とし、その両端部の直径は、シリンダの外周筒２１の内径より大きく形成している（図示しない）。端面３６には装着時の変形を吸収するための環状溝が設けられている。
前記ピストン筒部３１とシリンダ内周筒２３との間にはコイルバネ４０が装着されており、トリガを復動させるように作動する。
【００１２】
トリガＥは、前記射出筒Ｂ１に枢着され、ハンドル部５１と前記ピストン部材の凹部３４に係合する押圧片５２とからなっている。
容器取付部Ｆは、支持筒Ｂ２の下端に装着されており、液体容器を支持している。
【００１３】
次に上記トリガ式噴霧器の作動について説明する。
図１に示すトリガ式噴霧器の容器取付部Ｆに液体容器の開口部を固着し、トリガＥを矢印ｘ方向に押圧すると、押圧片５２がピストン筒部３１のヘッド３３の凹部３４を押圧するので、ピストン３２はその端面３６がシリンダ２０の底壁２２に接するまで移動し、シリンダ室２４内に充満していた液体は、開口２６から吸込み室３に押出され、液圧によって、吐出弁体７を上方に押圧する。
吐出弁体７は、その弾性変形部８の弾性変形で上動して吐出弁座９が開かれるので、液体は、吸込み室３から吐出弁室４に流入し、さらに吐出弁室４から開口１０ｂを経て吐出流路１１に吐出され、流路１２ａ，１２ｂを経て噴霧ノズル孔１３から射出される。
この間、ピストン筒部３１は弾装されているコイルバネ４０を圧縮し、吸込み室３内の液圧は、ボール弁５を吸込弁座６に圧接させている。
【００１４】
噴霧ノズル孔１３からの液体の射出完了後に、トリガＥの押圧を解くと、コイルバネ４０の復元弾性でピストン３０は図１に示される位置に戻り、シリンダ室２４が拡がるため、該室２４は負圧となりこの負圧が吐出弁体７とボール弁５とに作用するため、吐出弁体７は吐出弁座９に密接して、該弁座９を閉塞し、ボール弁５は吸込弁座６から離れるので、液体容器内の液体は吸上パイプ２から吸込み室３、開口１０ａ、２６を経てシリンダ室２４に充満し、次回の射出に備える。
【００１５】
前記シリンダの外周筒に設けられた吸気孔２７は、ピストン端面３６がシリンダ底壁２２に押圧されたときに外気と連通して通路と開孔２８を介して空気を液体容器に導入し、ピストン３０が図１に示される位置に復帰したときは、吸気孔２７は、ピストンの外摺動面３２ａによって閉塞され、液体容器の転倒等の際に吸気孔２７からの漏液が防止されるよう設計されている。
【００１６】
以上の構成は、従来より知られたものであり、本発明は、上記の噴霧器に限定されないもので、実公昭６２−７７０号公報に記載されているようなポンプ室が射出筒に斜交するものをはじめ、ポンプ室を具えたトリガ式噴霧器でピストンとシリンダの間にコイルバネを弾装するものであればどのような型式の噴霧器にも適用できるものである。
【００１７】
本発明の特徴は、ポンプ室のピストンとシリンダの間に弾装されたコイルバネを改良することであり、次にその構成について説明する。
まず、ポンプ室の組立て加工について説明すると、まずピストンの筒部３１の筒内部の支持孔３５に、その段部３５ａまでコイルバネ４０を挿入し、次いでコイルバネの自由端をシリンダ内周筒２３のバネ支持孔２５に挿入するとともにピストン３０をシリンダ２０に装着する。
その場合、コイルバネ４０の中心線がピストンの中心線と一致していないと、コイルバネの自由端がシリンダ内周筒２３の支持孔２５に挿入されないという事態が発生し、不良セットとして再度バネを装着し直すことが必要となる。本発明はこれを避けるためコイルバネ自体を改善したものである。
【００１８】
次に、本発明のコイルバネについて説明する。
図３は本発明のコイルバネ４０の実施例を示すものであるが、図において４１はコイル巻線、４２はバネ端巻線、４３はバネ先端のカット面、ｄはコイルバネ部材の直径、ｓはバネ先端のカット面の偏寄量、θはコイルバネ中心線に直交する面上にあるバネ端巻線の偏寄角度範囲である。
従来のコイルバネは、図４に示すようにコイルバネの終端を形成するコイル端巻線４２およびカット面４３はコイル巻線と同一の円周上にあって、図４（ｂ）に示すようにバネ端巻線は中心線に直交する面に対して傾斜していた。
【００１９】
本発明のコイルバネは、先端のカット面４３を、バネ端巻線４２をそれに隣接するコイル巻線４１に内接させつつ内方に偏寄させて、カット面から一定の長さのバネ端巻線をコイルバネの中心線に直交または略直交する面上に配設するよう形成したものである。
バネ端巻線の偏寄部分は、前記中心線に直交する面上に配設されることが望ましいが、必ずしも正確に直交する面でなくてもよい。
先端カット面の偏寄量は、必要とするバネ端巻線の偏寄角度範囲から決められ、バネ端巻線の偏寄角度範囲が９０度であると、その時の偏寄量ｓは、バネ巻線の直径をｄとすると約０．６６ｄである。
図５に偏寄角度範囲を１８０度としたときのコイルバネを示しているが、偏寄量ｓは、約０．８７ｄである。
バネ端巻線の偏寄角度範囲が大きいほどバネは安定するが、本発明の目的を達成するためには、Ｓ≧１／２ｄであればよい。
【００２０】
【発明の効果】
本発明は、上記のように構成されているから、コイルバネをピストン部材に挿入したとき中心線を一致させ真直に支持され、ピストンをシリンダに装着するにあたって、コイルバネの自由端がシリンダの支持孔に確実に挿入され、セット不良をなくすという効果を奏する。
【図面の簡単な説明】
【図１】本発明のトリガ式噴霧器の縦断面図である。
【図２】ポンプ室の縦断面図である。
【図３】本発明のコイルバネの図面で（ａ）は側面図、（ｂ）は正面図で一部は断面図で示してある。
【図４】従来のコイルバネの図面で（ａ）は側面図、（ｂ）は正面図で一部は断面図で示してある。
【図５】本発明のコイルバネの一実施例の図面で、（ａ）は側面図、（ｂ）は断面正面図で示してある。
【符号の説明】
Ａ    噴霧管
Ｂ    噴霧器本体
Ｃ    吐出室
Ｄ    ポンプ室
Ｅ    トリガ
Ｆ    容器取付部
２０  シリンダ
２５  バネ支持孔
３０  ピストン
３５  バネ支持孔
４０  コイルバネ
４１  バネ巻線
４２  バネ端巻線
４３  カット面
ｄ    巻線の直径
ｓ    偏寄量
θ    偏寄角度範囲
【図１】
0003566368.tif 000002
【図２】
0003566368.tif 000003
【図３】
0003566368.tif 000004
【図４】
0003566368.tif 000005
【図５】
0003566368.tif 000006